(57)【要約】【課題】  通信サービスのサービスエリア圏外に近づいていることを、ユーザに事前に通知できるようにする。【解決手段】  番号記憶手段２０１は、エリア圏外であることを検出すると、エリア圏外になる直前に待ち受けていた無線基地局の基地局番号を、番号記憶部１０７に記憶させる。番号抽出手段２０２は、発信又は着信が発生したことを検出すると、現在待ち受けている無線基地局の基地局番号を抽出する。また、比較手段２０３は、番号記憶部１０７が蓄積する基地局番号の中に、番号抽出手段２０２が抽出した基地局番号と一致する番号があるか否かを判断する。一致する番号があると判断すると、圏外通知手段２０４は、サービスエリア圏外に近づいている旨を表示させることによって、サービスエリア圏外に近づいていることをユーザに通知する。【選択図】  図２
2006222755.tif 000002
【特許請求の範囲】
【請求項１】
通信サービスのサービスエリアに含まれる無線エリアのうち、当該サービスエリア圏外の近傍に位置する無線エリアである近傍エリアを特定し、前記特定した近傍エリアを示す近傍エリア情報を蓄積するステップと、
前記蓄積した近傍エリア情報にもとづいて、携帯端末が現在いる無線エリアが近傍エリアであるか否かを判定するステップと、
携帯端末が現在いる無線エリアが近傍エリアであると判定すると、サービスエリア圏外に近づいている旨の通知を出力するステップとを含む
ことを特徴とする携帯端末の圏外通知方法。
【請求項２】
サービスエリア圏外であることを検出すると、サービスエリア圏外になる直前に携帯端末がいた無線エリアを近傍エリアとして特定する請求項１記載の携帯端末の圏外通知方法。
【請求項３】
近傍エリアの無線基地局を特定し、前記特定した無線基地局を識別するための識別情報を近傍エリア情報として蓄積し、
前記蓄積した近傍エリア情報に示される無線基地局のうち、携帯端末が現在いる無線エリアの無線基地局と一致する無線基地局が存在するか否かを判断することによって、前記携帯端末が現在いる無線エリアが近傍エリアであるか否かを判定する
請求項１又は請求項２記載の携帯端末の圏外通知方法。
【請求項４】
サービスエリア圏外になる直前に携帯端末が位置登録していた無線基地局を、近傍エリアの無線基地局として特定する請求項３記載の携帯端末の圏外通知方法。
【請求項５】
近傍エリア情報として、特定した無線基地局を識別するための基地局番号を蓄積し、
前記蓄積した基地局番号のうち、携帯端末が現在いる無線エリアの無線基地局を示す基地局番号と一致するものか存在するか否かを判断することによって、携帯端末が現在いる無線エリアが近傍エリアであるか否かを判定する
請求項３又は請求項４記載の携帯端末の圏外通知方法。
【請求項６】
発信又は着信の発生を検出するステップを含み、
発信又は着信の発生を検出すると、携帯端末が現在いる無線エリアが近傍エリアであるか否かを判定する
請求項１から請求項５のうちのいずれか１項に記載の携帯端末の圏外通知方法。
【請求項７】
携帯端末が現在いる無線エリアが近傍エリアであると判定すると、サービスエリア圏外に近づいている旨を表示する請求項１から請求項６のうちのいずれか１項に記載の携帯端末の圏外通知方法。
【請求項８】
携帯端末が現在いる無線エリアが近傍エリアであると判定すると、音声を出力することによって、サービスエリア圏外に近づいている旨を通知する請求項１から請求項６のうちのいずれか１項に記載の携帯端末の圏外通知方法。
【請求項９】
携帯端末が現在いる無線エリアが近傍エリアであると判定すると、携帯端末を振動させることによって、サービスエリア圏外に近づいている旨を通知する請求項１から請求項６のうちのいずれか１項に記載の携帯端末の圏外通知方法。
【請求項１０】
通信サービスのサービスエリアに含まれる無線エリアのうち、当該サービスエリア圏外の近傍に位置する無線エリアである近傍エリアを特定する特定手段と、
前記特定手段が特定した近傍エリアを示す近傍エリア情報を蓄積する蓄積手段と、
前記蓄積手段が蓄積する近傍エリア情報にもとづいて、携帯端末が現在いる無線エリアが近傍エリアであるか否かを判定する判定手段と、
前記判定手段が携帯端末が現在いる無線エリアが近傍エリアであると判定すると、サービスエリア圏外に近づいている旨の通知を出力する通知手段とを備えた
ことを特徴とする携帯端末。
【請求項１１】
特定手段は、サービスエリア圏外であることを検出すると、サービスエリア圏外になる直前に携帯端末がいた無線エリアの無線基地局を特定し、
蓄積手段は、前記特定手段が特定した無線基地局を識別するための識別情報を近傍エリア情報として蓄積し、
判定手段は、前記蓄積手段が蓄積する近傍エリア情報に示される無線基地局のうち、携帯端末が現在いる無線エリアの無線基地局と一致する無線基地局が存在するか否かを判断することによって、前記携帯端末が現在いる無線エリアが近傍エリアであるか否かを判定する
請求項１０記載の携帯端末。
【発明の詳細な説明】
【技術分野】
【０００１】
本発明は、携帯端末が移動通信サービスのサービスエリア圏外に近づいていることを通知する圏外通知方法に関する。また、本発明は、圏外通知方法を用いた携帯端末に関する。
【背景技術】
【０００２】
携帯電話サービスにおいて、携帯電話機がサービスエリア圏外に移動すると、携帯電話機のユーザに、エリア圏外であること知らせるための圏外通知を行う。この場合、携帯電話機は、無線基地局から受信した受信信号にもとづいて、エリア圏内であるかエリア圏外であるかを判断する。そして、エリア圏外であると判断すると、携帯電話機は、エリア圏外である旨の表示等を行ってユーザに通知し、電波状況の良い場所に移動するようにユーザに促す。
【０００３】
エリア圏外であることを検出するために、例えば、携帯電話機は、受信信号にもとづいて受信電界値やエラーレートを測定し、測定した受信電界値やエラーレートにもとづいてエリア圏外であるか否かを判断する。また、例えば、特許文献１には、通話可能なチャネル数をモニタし、チャネル数にもとづいてエリア圏外であるか否かを判断する携帯電話装置が記載されている。
【０００４】
【特許文献１】特開２０００−３１８９１号公報（段落００３８−００５７、第１−３図）
【発明の開示】
【発明が解決しようとする課題】
【０００５】
圏外通知を行えるようにすることによって、例えば、電波状況の良い場所への移動をユーザに促すことができ、通話中に通信が切断されることをある程度軽減することができる。しかし、電波状況が急に変化した場合には、ユーザが移動する時間的な猶予がなく、電波状況の良い場所に移動する前に通話中の通信が切断されてしまうことがある。例えば、電波状況が急に変化すると、受信電界値やエラーレートが急激に変化し、電波状況の良い場所に移動する前に通話中の通信が切断されてしまう。また、特許文献１に記載された携帯電話装置を用いた場合であっても、電波状況が急に変化すると、通信可能なチャネル数が急激に変化し、電波状況の良い場所に移動する前に通話中の通信が切断されてしまう。
【０００６】
そこで、本発明は、通信サービスのサービスエリア圏外に近づいていることを、ユーザに事前に通知できる圏外通知方法及び携帯端末を提供することを目的とする。
【課題を解決するための手段】
【０００７】
本発明による携帯端末の圏外通知方法は、通信サービスのサービスエリアに含まれる無線エリアのうち、サービスエリア圏外の近傍に位置する無線エリアである近傍エリアを特定し、特定した近傍エリアを示す近傍エリア情報を蓄積するステップと、蓄積した近傍エリア情報にもとづいて、携帯端末が現在いる無線エリアが近傍エリアであるか否かを判定するステップと、携帯端末が現在いる無線エリアが近傍エリアであると判定すると、サービスエリア圏外に近づいている旨の通知を出力するステップとを含むことを特徴とする。
【０００８】
また、携帯端末の圏外通知方法は、サービスエリア圏外であることを検出すると、サービスエリア圏外になる直前に携帯端末がいた無線エリアを近傍エリアとして特定するものであってもよい。そのような構成によれば、サービスエリア圏外になる直前に携帯端末がいた無線エリアを特定することによって、容易に近傍エリアを特定することができる。
【０００９】
また、携帯端末の圏外通知方法は、近傍エリアの無線基地局を特定し、特定した無線基地局を識別するための識別情報を近傍エリア情報として蓄積し、蓄積した近傍エリア情報に示される無線基地局のうち、携帯端末が現在いる無線エリアの無線基地局と一致する無線基地局が存在するか否かを判断することによって、携帯端末が現在いる無線エリアが近傍エリアであるか否かを判定するものであることが望ましい。
【００１０】
また、携帯端末の圏外通知方法は、サービスエリア圏外になる直前に携帯端末が位置登録していた無線基地局を、近傍エリアの無線基地局として特定するものであってもよい。そのような構成によれば、位置登録機能を利用することによって、携帯端末がいる無線エリアの無線基地局を容易に特定することができる。
【００１１】
また、携帯端末の圏外通知方法は、近傍エリア情報として、特定した無線基地局を識別するための基地局番号を蓄積し、蓄積した基地局番号のうち、携帯端末が現在いる無線エリアの無線基地局を示す基地局番号と一致するものか存在するか否かを判断することによって、携帯端末が現在いる無線エリアが近傍エリアであるか否かを判定するものであってもよい。そのような構成によれば、基地局番号を用いて容易に無線基地局を特定することができる。
【００１２】
また、携帯端末の圏外通知方法は、発信又は着信の発生を検出するステップを含み、
発信又は着信の発生を検出すると、携帯端末が現在いる無線エリアが近傍エリアであるか否かを判定するものであってもよい。そのような構成によれば、通話が開始される際にサービスエリア圏外が近づいていることをユーザに通知することができ、いち早く電波状況の良い場所に移動するようにユーザに促すことによって、通話中の通信が切断されてしまうことをより防止することができる。
【００１３】
また、携帯端末の圏外通知方法は、携帯端末が現在いる無線エリアが近傍エリアであると判定すると、サービスエリア圏外に近づいている旨を表示するものであってもよい。そのような構成によれば、表示された通知情報を見ることによって、サービスエリア圏外に近づいていることをユーザが知ることができる。
【００１４】
また、携帯端末の圏外通知方法は、携帯端末が現在いる無線エリアが近傍エリアであると判定すると、音声を出力することによって、サービスエリア圏外に近づいている旨を通知するものであってもよい。そのような構成によれば、アラーム音等の音声によって、サービスエリア圏外に近づいていることをユーザが知ることができる。
【００１５】
また、携帯端末の圏外通知方法は、携帯端末が現在いる無線エリアが近傍エリアであると判定すると、携帯端末を振動させることによって、サービスエリア圏外に近づいている旨を通知するものであってもよい。そのような構成によれば、バイブレータ機能等を利用して、サービスエリア圏外に近づいていることをユーザが知ることができる。
【００１６】
本発明による携帯端末は、通信サービスのサービスエリアに含まれる無線エリアのうち、サービスエリア圏外の近傍に位置する無線エリアである近傍エリアを特定する特定手段（例えば、番号記憶手段２０１によって実現される）と、特定手段が特定した近傍エリアを示す近傍エリア情報（例えば、基地局番号）を蓄積する蓄積手段（例えば、番号記憶部１０７によって実現される）と、蓄積手段が蓄積する近傍エリア情報にもとづいて、携帯端末が現在いる無線エリアが近傍エリアであるか否かを判定する判定手段（例えば、比較手段２０３によって実現される）と、判定手段が携帯端末が現在いる無線エリアが近傍エリアであると判定すると、サービスエリア圏外に近づいている旨の通知を出力する通知手段（例えば、圏外通知手段２０４によって実現される）とを備えたことを特徴とする。
【００１７】
また、特定手段は、サービスエリア圏外であることを検出すると、サービスエリア圏外になる直前に携帯端末がいた無線エリアの無線基地局を特定し、蓄積手段は、特定手段が特定した無線基地局を識別するための識別情報を近傍エリア情報として蓄積し、判定手段は、蓄積手段が蓄積する近傍エリア情報に示される無線基地局のうち、携帯端末が現在いる無線エリアの無線基地局と一致する無線基地局が存在するか否かを判断することによって、携帯端末が現在いる無線エリアが近傍エリアであるか否かを判定するものであってもよい。
【発明の効果】
【００１８】
本発明によれば、サービスエリア圏外の近傍エリアを特定し、携帯端末が現在いる無線エリアとを照合することによって、サービスエリア圏外に近づいているか否かを判定することができる。従って、通信サービスのサービスエリア圏外に近づいていることを、ユーザに事前に通知することができる。
【００１９】
また、本発明によれば、サービスエリア圏外になる直前に携帯端末がいた無線エリアを近傍エリアとして特定するので、容易に近傍エリアを特定することができる。
【００２０】
また、本発明によれば、サービスエリア圏外になる直前に携帯端末が位置登録していた無線基地局を近傍エリアの無線基地局として特定するので、位置登録機能を利用することによって、携帯端末がいる無線エリアの無線基地局を容易に特定することができる。
【００２１】
また、本発明によれば、特定した無線基地局を識別するための基地局番号を近傍エリア情報として蓄積するので、基地局番号を用いて容易に無線基地局を特定することができる。
【００２２】
また、本発明によれば、発信又は着信の発生を検出すると携帯端末が現在いる無線エリアが近傍エリアであるか否かを判定するので、通話が開始される際にサービスエリア圏外が近づいていることをユーザに通知することができ、いち早く電波状況の良い場所に移動するようにユーザに促すことができる。
【００２３】
また、本発明によれば、サービスエリア圏外に近づいている旨を表示するので、表示された通知情報を見ることによって、サービスエリア圏外に近づいていることをユーザが知ることができる。
【００２４】
また、本発明によれば、音声を出力することによってサービスエリア圏外に近づいている旨を通知するので、アラーム音等の音声によって、サービスエリア圏外に近づいていることをユーザが知ることができる。
【００２５】
また、本発明によれば、携帯端末を振動させることによってサービスエリア圏外に近づいている旨を通知するので、バイブレータ機能等を利用して、サービスエリア圏外に近づいていることをユーザが知ることができる。
【発明を実施するための最良の形態】
【００２６】
以下、本発明の実施の形態を図面を参照して説明する。図１は、本発明による圏外通知方法を用いた携帯端末の構成の一例を示すブロック図である。本実施の形態では、図１に示すように、携帯端末が携帯電話機１０である場合を説明する。なお、携帯電話機１０に限らず、携帯端末は、音声やデータの送受信が可能な端末であれば、ＰＨＳ等の端末であってもよい。また、本実施の形態において、携帯電話機１０は、複数の無線基地局や無線通信ネットワークを介してデータの送受信が可能である。
【００２７】
図１に示すように、携帯電話機１０は、無線部１０１、ベースバンド部１０２、送受話部１０３、制御部１０４、操作部１０５、ＬＣＤ表示部１０６、番号記憶部１０７及びアンテナ１０８を含む。
【００２８】
無線部１０１は、制御部１０４が指定するモードで動作し、アンテナ１０８を介して無線基地局と無線信号を送受信する機能を備える。ベースバンド部１０２は、制御部１０４の指示に従って、送受話部１０３との間で音声データを入出力する機能を備える。また、ベースバンド部１０２は、データを符号化し、符号化したデータを無線部１０１に出力する機能を備える。例えば、ベースバンド部１０２は、送受話部１０３からの音声データを符号化し、符号化した音声データを無線部１０１に出力する。
【００２９】
送受話部１０３は、ベースバンド部１０２との間で音声データを入出力する機能を備える。本実施の形態では、送受話部１０３は、スピーカ等の音声出力装置を備え、ベースバンド部１０２からの音声データにもとづいて音声を出力する。また、送受話部１０３は、マイクロフォン等の音声入力装置を備え、入力した音声データをベースバンド部１０２に出力する。操作部１０５は、複数の操作キーを含み、ユーザの操作に従って各種情報を入力する機能を備える。ＬＣＤ表示部１０６は、制御部１０４の指示に従って、各種情報を表示する機能を備える。
【００３０】
番号記憶部１０７は、具体的には、メモリ等の記憶装置である。番号記憶部１０７は、制御部１０４の指示に従って、無線基地局を識別するための基地局番号を記憶する。
【００３１】
図２は、制御部１０４の構成の一例を示すブロック図である。図２に示すように、制御部１０４は、番号記憶手段２０１、番号抽出手段２０２、比較手段２０３及び圏外通知手段２０４を含む。
【００３２】
番号記憶手段２０１は、エリア圏外であることを検出すると、エリア圏外となる直前に待ち受けていた無線基地局を特定する機能を備える。なお、「待ち受けていた無線基地局」とは、例えば、エリア圏外となる直前に待ち受け状態となっていた際に、携帯電話機１０が位置登録していた無線基地局のことである。また、本実施の形態において、「待ち受け状態」とは、携帯電話機１０が、通信可能な無線基地局が存在し、発信を行ったり着信を受け付けたりできる状態にあることをいう。また、番号記憶手段２０１は、特定した無線基地局の基地局番号を番号記憶部１０７に記憶させる機能を備える。
【００３３】
例えば、携帯電話機１０の電源をオンにしたり、携帯電話機１０が別の無線エリアに移動すると、携帯電話機１０は、無線基地局から所定の位置登録情報を受信して、自分の現在位置を登録する。この場合、携帯電話機１０は、例えば、受信した位置登録情報に含まれる基地局番号をメモリ等に登録することによって、位置登録を行う。番号記憶手段２０１は、例えば、エリア圏外であることを検出すると、エリア圏外となる直前に位置登録していた無線基地局を特定し、特定した無線基地局の基地局番号を抽出して番号記憶部１０７に記憶させる。
【００３４】
番号抽出手段２０２は、発信又は着信を検出すると、現在待ち受けている無線基地局の基地局番号を抽出する機能を備える。例えば、番号抽出手段２０２は、発信又は着信を検出すると、現在位置登録している無線基地局の基地局番号を抽出する。
【００３５】
比較手段２０３は、番号抽出手段２０２が抽出した基地局番号と、番号記憶部１０７が格納する基地局番号のリストとを比較する機能を備える。また、比較手段２０３は、比較結果にもとづいて、番号記憶部１０７が記憶する基地局番号のうち、番号抽出手段２０２が抽出した基地局番号に一致する番号があるか否かを判定する機能を備える。
【００３６】
圏外通知手段２０４は、比較手段２０３が一致する番号があると判断すると、サービスエリア圏外に近づいている旨をユーザに通知する機能を備える。本実施の形態では、圏外通知手段２０４は、例えば、サービスエリア圏外に近づいている旨を、ＬＣＤ表示部１０６に表示させる。また、圏外通知手段２０４は、例えば、スピーカ等の音声出力部にアラーム音を鳴動（出力）させたり、バイブレータ機能を用いてに携帯電話機１０を振動をさせたりすることによって、サービスエリア圏外に近づいている旨をユーザに通知する。
【００３７】
次に、動作について説明する。まず、携帯端末が圏外通知を行う動作の概念について説明する。図３は、圏外通知方法を用いた携帯端末を含む無線通信システムの例を示す説明図である。図３に示すように、無線通信システムは、複数の無線基地局３０１，３０２，３０３・・・を含む。
【００３８】
本実施の形態では、携帯電話機１０は、サービスエリア圏外の近傍に位置する無線エリアを特定し、特定した近傍エリアを示す情報を蓄積する。また、携帯電話機１０は、蓄積する情報に示される近傍エリアと、自分が現在いる無線エリアとを照合することによって、近傍エリアにいるか否かを判定する。そして、携帯電話機１０は、近傍エリアにいると判定すると、サービスエリア圏外に近づいている旨を通知する。
【００３９】
例えば、図３に示すように、無線基地局３０２の無線エリア（接続可能範囲）４０２内の位置１０ａにある携帯電話機１０が、無線エリア４０２の範囲外の位置１０ｂに移動した場合、携帯電話機１０は、サービスエリアの圏外に移動したことになる。この場合、携帯電話機１０は、エリア圏外であることを検出し、直前に待ち受けていた無線基地局３０２の基地局番号を記憶する。すなわち、携帯電話機１０は、直前に待ち受けていた無線基地局３０２を近傍エリアとして特定する。また、無線エリア４０３内の位置１０ｃからエリア圏外の位置１０ｄに移動した場合、携帯電話機１０は、エリア圏外であることを検出し、直前に待ち受けていた無線基地局３０３の基地局番号を記憶する。
【００４０】
無線基地局３０２，３０３の基地局番号を記憶した状態で、例えば、携帯電話機１０が無線基地局の無線エリア４０１内の位置１０ｘから無線エリア４０２内の位置１０ａに移動した場合を説明する。位置１０ａに移動した後、発信又は着信が発生したことを検出すると、携帯電話機１０は、現在待ち受けている無線基地局３０２の基地局番号を抽出する。また、携帯電話機１０は、記憶した無線基地局３０２，３０３の基地局番号の中に、抽出した基地局番号に一致する番号があると判定する。そして、携帯電話機１０は、判定結果にもとづいて、サービスエリア圏外に近づいていることを検出しユーザに通知する。
【００４１】
次に、圏外通知方法を用いた携帯端末の具体的な動作について説明する。なお、本例では、図３に示す無線通信システムにおいて、携帯電話機１０が動作する場合を説明する。図４は、エリア圏外を検出し、エリア圏外となる直前の無線基地局の基地局番号を記憶する処理の一例を示す流れ図である。携帯電話機１０は、無線エリア４０１，４０２，４０３・・・内に存在し、いずれかの無線基地局３０１，３０２，３０３・・・と通信が可能である場合、待ち受け状態となっている（ステップＳ１１）。この場合、例えば、携帯電話機１０は、位置登録を行い、自分がいる無線エリアの無線基地局の基地局番号を登録している。
【００４２】
携帯電話機１０の制御部１０４は、所定のタイミングで、エリア内で待ち受けている状態からエリア圏外に移行したか否かを繰り返し判断する（ステップＳ１２）。例えば、制御部１０４は、所定のタイミングで無線基地局から所定の信号を受信し、受信信号にもとづいて受信電界値を測定する。また、制御部１０４は、測定した受信電界値が所定の閾値より小さいか否かを判断する。そして、受信電界値が閾値より小さいと判断すると、制御部１０４は、エリア圏外に移行したことを検出（判定）する。
【００４３】
また、例えば、制御部１０４は、受信信号にもとづいてエラーレートを測定してもよい。この場合、制御部１０４は、測定したエラーレートが所定の閾値より大きいか否かを判断する。そして、エラーレートが閾値より大きいと判断すると、制御部１０４は、エリア圏外に移行したことを検出（判定）する。
【００４４】
また、例えば、Ｗ−ＣＤＭＡを用いた携帯電話システムの場合、携帯電話機１０は、全てのＲＡＫＥ受信機が同一の無線基地局から無線信号を受信しているか否かを判断するとともに、全てのＲＡＫＥ受信機の感度が低下したか否かを判断してもよい。そして、携帯電話機１０は、全てのＲＡＫＥ受信機が同一の無線基地局から無線信号を受信し、且つ全てのＲＡＫＥ受信機の感度（例えば、受信電界値やエラーレート）が低下したと判断すると、エリア圏外に移行したと判定するようにしてもよい。
【００４５】
ステップＳ１２でエリア圏外であると判断すると、番号記憶手段２０１は、エリア圏外になる直前に待ち受けていた無線基地局を特定し、特定した無線基地局の基地局番号を番号記憶部１０７に記憶させる（ステップＳ１３）。この場合、番号記憶手段２０１は、例えば、エリア圏外となる直前に位置登録していた無線基地局の基地局番号を番号記憶部１０７に記憶させる。
【００４６】
また、エリア圏外を検出すると、制御部１０４は、通信が可能な無線基地局を検索する（ステップＳ１４）。この場合、例えば、携帯電話機１０は、セルサーチと呼ばれる基地局識別処理を行って自分がいる無線エリアを認識する。また、制御部１０４は、ステップＳ１４の検索結果にもとづいて、待ち受け可能（通信可能）な無線基地局が存在するか否か判断する（ステップＳ１５）。すなわち、制御部１０４は、携帯電話機１０がエリア圏外から再びエリア圏内に移動したか否かを判断する。
【００４７】
ステップＳ１５で待ち受け可能な無線基地局が存在しないと判断すると、制御部１０４は、エリア圏外のままであり、携帯電話機１０がまだエリア圏内に移動していないと判定する。そして、制御部１０４は、携帯電話機１０がエリア圏内に移動するまで、ステップＳ１４及びステップＳ１５の処理を繰り返し実行する。
【００４８】
ステップＳ１５で待ち受け可能な無線基地局が存在すると判断すると、制御部１０４は、携帯電話機１０がエリア圏外からエリア圏内に移動したと判定する。そして、ステップＳ１１に戻り、携帯電話機１０は、再び待ち受け状態に移行する。
【００４９】
以上のように、ステップＳ１１からステップＳ１５までの処理を繰り返し実行することによって、携帯電話機１０は、エリア圏外を検出する毎に、エリア圏外となる直前に待ち受けていた無線基地局の基地局番号を記憶する。そして、携帯電話機１０は、複数の基地局番号を番号記憶部１０７に蓄積する。そのようにすることによって、携帯電話機１０は、サービスエリア圏外に近い無線エリアの無線基地局の基地局番号を蓄積することができる。
【００５０】
例えば、図３に示す例では、携帯電話機１０は、位置１０ａから位置１０ｂに移動した場合に、直前に待ち受けていた無線基地局３０２の基地局番号を番号記憶部１０７に蓄積する。更に、携帯電話機１０は、位置１０ｃから位置１０ｄに移動した場合に、直前に待ち受けていた無線基地局３０３の基地局番号を番号記憶部１０７に蓄積する。すなわち、携帯電話機１０は、２つの無線基地局３０２，３０３に対応する基地局番号を、エリア圏外に近い無線エリアに対応する番号として、それぞれ番号記憶部１０７に蓄積する。
【００５１】
次に、携帯電話機１０が圏外通知を行う動作を説明する。図５は、携帯電話機１０がエリア圏外に近づいている旨をユーザに通知する処理の一例を示す流れ図である。制御部１０４は、所定のタイミングで、発信又は着信が発生したか否かを判断する（ステップＳ２１）。例えば、制御部１０４は、ユーザによって発信要求の指示操作がなされると、発信が発生したと判断する。また、例えば、制御部１０４は、無線基地局から着信信号を受信すると、着信が発生した判断する。
【００５２】
発信又は着信が発生したと判断すると、番号抽出手段２０２は、現在待ち受けている無線基地局の基地局番号を抽出する（ステップＳ２２）。この場合、番号抽出手段２０２は、例えば、現在位置登録している無線基地局の基地局番号を抽出する。
【００５３】
比較手段２０３は、番号抽出手段２０２が抽出した基地局番号と、番号記憶部１０７が格納する基地局番号のリストとを比較する。そして、比較手段２０３は、番号記憶部１０７が蓄積する各基地局番号のうち、番号抽出手段２０２が抽出した基地局番号と一致する番号があるか否かを判断する（ステップＳ２３）。
【００５４】
一致する番号があると判断すると、圏外通知手段２０４は、携帯電話機１０がサービスエリア圏外に近い無線エリアにいると判断する。そして、圏外通知手段２０４は、サービスエリア圏外に近づいている旨をユーザに通知する（ステップＳ２４）。この場合、圏外通知手段２０４は、例えば、サービスエリア圏外に近づいている旨をＬＣＤ表示部１０６に表示させる。また、例えば、圏外通知手段２０４は、スピーカ等の音声出力装置にアラーム音を鳴動（出力）させることによって、サービスエリア圏外に近づいている旨をユーザに通知する。また、例えば、圏外通知手段２０４は、バイブレータ機能を用いて携帯電話機１０を振動させることによって、サービスエリア圏外に近づいている旨をユーザに通知する。
【００５５】
例えば、図３に示す例では、位置１０ａにある場合に発信又は着信が発生すると、携帯電話機１０は、現在の無線エリア４０２の無線基地局３０２の基地局番号が、番号記憶部１０７に蓄積する２つの基地局番号のうちの１つに一致すると判断する。すなわち、携帯電話機１０は、無線基地局３０２及び無線基地局３０３の基地局番号を蓄積しているので、現在の基地局番号が蓄積する基地局番号に一致すると判断し、サービスエリア圏外に近づいていると判断する。そして、携帯電話機１０は、サービスエリア圏外に近づいている旨を表示等することによって、ユーザに圏外通知を行う。
【００５６】
圏外通知を行うと、制御部１０４は、所定の発信処理又は着信処理を行い、通話が可能な通話状態に携帯電話機１０を移行させる（ステップＳ２５）。なお、ステップＳ２３において、一致する番号がないと判断した場合、制御部１０４は、ステップＳ２４の処理を行わずに、そのまま携帯電話機１０を通話状態に移行させる。
【００５７】
以上のように、本実施の形態によれば、携帯電話機１０は、エリア圏外であることを検出すると、エリア圏外となる直前に待ち受けていた無線基地局の基地局番号を記憶することによって、エリア圏外に近い無線エリアに対応する基地局番号を蓄積する。そして、携帯電話機１０は、発信又は着信の発生を検出すると、蓄積する基地局番号と現在待ち受けている無線基地局の基地局番号とを照合することによって、サービスエリア圏外に近づいているか否かを判定する。従って、エリア圏外となる前に、サービスエリア圏外に近づいた段階で、事前にいち早くユーザに圏外通知を行うことができる。また、エリア圏外を検出してから通知する場合と比較して、よりユーザに時間的な猶予を与えることができる。そのため、いち早く電波状況の良い場所に移動するようにユーザに促すことができ、通話中の通信が切断されてしまうことをより防止することができる。
【００５８】
なお、本実施の形態では、発信又は着信の発生を検出した場合に圏外通知を行う場合を説明したが、携帯電話機１０は、通話中に圏外通知を行えるようにしてもよい。この場合、例えば、携帯電話機１０は、通話が開始されると、所定時間毎に、現在待ち受けている無線基地局の基地局番号と番号記憶部１０７が記憶する基地局番号とを照合する。そして、一致する番号があると判断すると、携帯電話機１０は、アラーム音を出力したり、バイブレータ機能を用いて振動したりして、エリア圏外が近づいていることを通知する。
【産業上の利用可能性】
【００５９】
本発明は、携帯電話機やＰＨＳ等の携帯端末に適用できる。本発明を用いることによって、サービスエリア圏外に近づいた場合に、事前にユーザに圏外通知を行うことができる。
【図面の簡単な説明】
【００６０】
【図１】本発明による圏外通知方法を用いた携帯端末の構成の一例を示すブロック図である。
【図２】制御部１０４の構成の一例を示すブロック図である。
【図３】圏外通知方法を用いた携帯端末を含む無線通信システムの例を示す説明図である。
【図４】エリア圏外を検出し、エリア圏外となる直前の無線基地局の基地局番号を記憶する処理の一例を示す流れ図である。
【図５】携帯電話機１０がエリア圏外に近づいている旨をユーザに通知する処理の一例を示す流れ図である。
【符号の説明】
【００６１】
１０  携帯電話機
１０１  無線部
１０２  ベースバンド部
１０３  送受話部
１０４  制御部
１０５  操作部
１０６  ＬＣＤ表示部
１０７  番号記憶部
１０８  アンテナ
２０１  番号記憶手段
２０２  番号抽出手段
２０３  比較手段
２０４  圏外通知手段
【図１】
2006222755.tif 000003
【図２】
2006222755.tif 000004
【図３】
2006222755.tif 000005
【図４】
2006222755.tif 000006
【図５】
2006222755.tif 000007